(57)【要約】【課題】ディスプレイの利用者が、ディスプレイに表示されているデータの中から所望のデータを効率良く確認できるようにする。【解決手段】オブジェクト位置検出部１０１としてタッチパネルから圧力発生位置を検出することにより、表示部１０７の画面上に貼り付けられたオブジェクトの位置を検出する。さらに、オブジェクトによって反射される反射光を、オブジェクト属性抽出部１０２として光センサーが受信することによって、ディスプレイの表面上のオブジェクト属性を抽出する。そして、検出した属性と関連するデータをデータ保持部１０５から検索し、オブジェクトの近傍に、関連するデータを表示する。【選択図】図１
2010170474.tif 000002
【特許請求の範囲】
【請求項１】
表示手段の画面上のオブジェクトの位置を検出する位置検出手段と、
前記オブジェクトの属性を検出する属性検出手段と、
前記属性検出手段によって検出された属性と関連するデータを記憶手段から検索するデータ検索手段と、
前記データ検索手段によって検索されたデータを、前記位置検出手段によって検出されたオブジェクトの位置に基づく位置に表示する表示制御手段とを有することを特徴とする画像表示装置。
【請求項２】
前記表示制御手段は、前記データ検索手段によって検索されたデータを、前記位置検出手段によって検出されたオブジェクトの位置の近傍に表示することを特徴とする請求項１に記載の画像表示装置。
【請求項３】
前記位置検出手段は、前記表示手段の表面の接触位置を感知するセンサーを用いることによってオブジェクトの位置を検出することを特徴とする請求項１又は２に記載の画像表示装置。
【請求項４】
前記属性検出手段は、前記表示手段が有するバックライトの反射光又は透過光を検知する光センサーを用いることによってオブジェクトの属性を検出することを特徴とする請求項１〜３の何れか１項に記載の画像表示装置。
【請求項５】
前記位置検出手段は、前記表示手段の画面上のオブジェクトを撮影することによってオブジェクトの位置を検出し、
前記属性検出手段は、前記表示手段の画面上のオブジェクトを撮影することによって属性を検出することを特徴とする請求項１又は２に記載の画像表示装置。
【請求項６】
表示手段の画面上のオブジェクトの位置を検出する位置検出工程と、
前記オブジェクトの属性を検出する属性検出工程と、
前記属性検出工程において検出された属性と関連するデータを記憶手段から検索するデータ検索工程と、
前記データ検索工程において検索されたデータを、前記位置検出工程において検出されたオブジェクトの位置に基づく位置に表示する表示制御工程とを有することを特徴とする画像表示方法。
【請求項７】
前記表示制御工程においては、前記データ検索工程において検索されたデータを、前記位置検出工程において検出されたオブジェクトの位置の近傍に表示することを特徴とする請求項６に記載の画像表示方法。
【請求項８】
前記位置検出工程においては、前記表示手段の表面の接触位置を感知するセンサーを用いることによってオブジェクトの位置を検出することを特徴とする請求項６又は７に記載の画像表示方法。
【請求項９】
前記属性検出工程においては、前記表示手段が有するバックライトの反射光又は透過光を検知する光センサーを用いることによってオブジェクトの属性を検出することを特徴とする請求項６〜８の何れか１項に記載の画像表示方法。
【請求項１０】
前記位置検出工程においては、前記表示手段の画面上のオブジェクトを撮影することによってオブジェクトの位置を検出し、
前記属性検出工程においては、前記表示手段の画面上のオブジェクトを撮影することによって属性を検出することを特徴とする請求項６又は７に記載の画像表示方法。
【請求項１１】
表示手段の画面上のオブジェクトの位置を検出する位置検出工程と、
前記オブジェクトの属性を検出する属性検出工程と、
前記属性検出工程において検出された属性と関連するデータを記憶手段から検索するデータ検索工程と、
前記データ検索工程において検索されたデータを、前記位置検出工程において検出されたオブジェクトの位置に基づく位置に表示する表示制御工程とをコンピュータに実行させることを特徴とするプログラム。
【請求項１２】
請求項１１に記載のプログラムを記憶したことを特徴とするコンピュータ読み取り可能な記憶媒体。
【発明の詳細な説明】
【技術分野】
【０００１】
本発明は画像表示装置、画像表示方法、プログラム及び記憶媒体に関し、特に、ディスプレイの画面上に表示されているデータから所望の関連するデータを検索するために用いて好適な技術に関する。
【背景技術】
【０００２】
近年、フラットパネルディスプレイやフロントプロジェクターの技術の進歩に伴い、小型の携帯型ディスプレイ端末と大画面ディスプレイとを連携させることが行われている。そして、複数の携帯型ディスプレイ端末から大画面ディスプレイ上にデジタルデータをシームレスに登録、表示する形態が提案されている（例えば、特許文献１参照）。ここで、ディスプレイ上に表示されている複数のデジタルデータは、動画、静止画、ドキュメントなど様々なものが存在する。このように、大画面ディスプレイ上にデジタルデータを表示して複数の携帯型ディスプレイ端末からデータを登録することによって、複数のデータを同時に閲覧することが容易になり、閲覧効率を向上させることができる。
【０００３】
【特許文献１】特開２００６−１９５６６８号公報
【発明の開示】
【発明が解決しようとする課題】
【０００４】
しかしながら、大画面のディスプレイに大量のデータが表示されていると、大画面のディスプレイにデータが分散して配置されてしまい、システムの利用者にとって大量のデータの中から所望のデータを効率良く確認することが困難であった。例えば、あるテーマに関連したデータのみを大画面ディスプレイ上の所定のエリアに表示する場合に、システムの利用者が画面上に表示されているデータの内容を１つ１つ確認し、所定のエリアに関連データを手動で移動させなければならなかった。
【０００５】
本発明は前述の問題点に鑑み、ディスプレイの利用者にとって、ディスプレイに表示されているデータの中から所望のデータを効率良く確認できるようにすることを目的としている。
【課題を解決するための手段】
【０００６】
本発明の画像表示装置は、表示手段の画面上のオブジェクトの位置を検出する位置検出手段と、前記オブジェクトの属性を検出する属性検出手段と、前記属性検出手段によって検出された属性と関連するデータを記憶手段から検索するデータ検索手段と、前記データ検索手段によって検索されたデータを、前記位置検出手段によって検出されたオブジェクトの位置に基づく位置に表示する表示制御手段とを有することを特徴とする。
【０００７】
本発明の画像表示方法は、表示手段の画面上のオブジェクトの位置を検出する位置検出工程と、前記オブジェクトの属性を検出する属性検出工程と、前記属性検出工程において検出された属性と関連するデータを記憶手段から検索するデータ検索工程と、前記データ検索工程において検索されたデータを、前記位置検出工程において検出されたオブジェクトの位置に基づく位置に表示する表示制御工程とを有することを特徴とする。
【０００８】
本発明のプログラムは、表示手段の画面上のオブジェクトの位置を検出する位置検出工程と、前記オブジェクトの属性を検出する属性検出工程と、前記属性検出工程において検出された属性と関連するデータを記憶手段から検索するデータ検索工程と、前記データ検索工程において検索されたデータを、前記位置検出工程において検出されたオブジェクトの位置に基づく位置に表示する表示制御工程とをコンピュータに実行させることを特徴とする。
【０００９】
本発明の記憶媒体は、前記に記載のプログラムを記憶したことを特徴とする。
【発明の効果】
【００１０】
本発明によれば、オブジェクトの属性に関連するデータを所定の位置に表示させることができる。これにより、ディスプレイに表示されているデータの中から利用者が所望のデータを効率良く確認することが可能となる。
【発明を実施するための最良の形態】
【００１１】
（第１の実施形態）
以下、図面を参照しながら本発明の実施形態について詳細に説明する。
図１は、本実施形態に係る画像表示装置１００の概略構成例を示すブロック図である。
図１において、オブジェクト位置検出部１０１は、表示部１０７の表面上に物理的に貼り付けられた、若しくは置かれたオブジェクト（物体）位置を検出するためのものであり、後述するタッチパネルを用いて位置検出を行う。ここでオブジェクトとは、例えば文字等が書かれた付箋紙などである。一方、オブジェクト属性抽出部１０２は、表示部１０７の表面上にあるオブジェクト（物体）に含まれる文字等から属性（オブジェクト属性）を抽出するためのものであり、後述する光センサーを用いてオブジェクト属性の抽出を行う。
【００１２】
オブジェクト属性解析部１０３は、オブジェクト属性抽出部１０２において抽出された属性を解析するためのものであり、ＯＣＲ（Optical Character Recognition：光学文字認識）技術を用いてオブジェクト属性の解析を行う。本実施形態では、オブジェクト属性解析部１０３にＯＣＲ技術を用いているが、オブジェクト属性としてマークを用いる場合はＯＭＲ（Optical Mark Recognition：光学マーク認識）技術等を用いてもよい。このように、オブジェクト属性抽出部１０２及びオブジェクト属性解析部１０３は属性検出手段として機能する。
【００１３】
データ検索部１０４は、オブジェクト属性解析部１０３において解析された属性を元に、後述するデータ保持部１０５からデータを検索するためのものである。データ保持部１０５は、表示部１０７に表示するためのデータを保持しているメモリである。
【００１４】
表示制御部１０６は、オブジェクト位置検出部１０１において検出したオブジェクト位置の近傍に、データ検索部１０４において検索したデータを表示するための表示画像を生成して表示する。表示部１０７は、表示制御部１０６において生成した表示画像を表示するためのものである。
【００１５】
図２は、図１におけるオブジェクト位置検出部１０１、オブジェクト属性抽出部１０２及び表示部１０７から構成される表示装置の外観構成例を示す図である。
図２において、オブジェクト位置検出部１０１としてタッチパネルが用いられており、タッチパネルの表面上に圧力が掛かっている場所に電流が流れることによってタッチパネル上の圧力発生位置を検出することができる。なお、本実施形態では、オブジェクト位置検出部１０１にセンサーとしてタッチパネルを用いているが、光センサー、カメラ撮影、スキャナ等を用いてオブジェクト位置を検出してもよい。
【００１６】
オブジェクト属性抽出部１０２としては、画素毎に設けられた光センサーが用いられている。表示部１０７が発するバックライトが表示部１０７の表面上にあるオブジェクトによって反射される反射光を、光センサーが受信することによって、ディスプレイの表面上のオブジェクト属性を抽出することができる。なお、本実施形態では、オブジェクト属性抽出部１０２として光センサーを用いているが、カメラ撮影、スキャナ等を用いてオブジェクト属性を抽出してもよい。また、反射光ではなく、オブジェクトを透過する透過光を光センサーが受信するようにしてもよい。
【００１７】
また、表示部１０７としてはフラットパネルディスプレイが用いられており、画素毎に表示部１０７が有するバックライトが表示部１０７の表面に照射される。また、前述したようにバックライトの反射光は、オブジェクト属性抽出部１０２によってオブジェクト属性を抽出する際に利用される。なお、本実施形態では、表示部１０７にフラットパネルディスプレイを用いているが、フロントプロジェクター、ＣＲＴ等を用いて構成してもよい。
【００１８】
前述したように本実施形態では、オブジェクト位置検出部１０１としてタッチパネルを使用し、オブジェクト属性抽出部１０２として光センサーを使用している。さらに、表示部１０７にフラットパネルディスプレイを用い、図２に示すように３層に重ねることによって、表示部１０７の表面上に接触したオブジェクト（物体）の位置の検出と属性の抽出とを行う。
【００１９】
図３は、本実施形態における画像表示装置１００による処理手順の一例を示すフローチャートである。
まず、図３のステップＳ３０１において、利用者の操作により、データ検索部１０４は、データ保持部１０５に保持されているデータを読み出す。そして、表示制御部１０６によりデータを表示部１０７の表示画面上に表示する。
【００２０】
次に、オブジェクトが表示部１０７の表示画面に貼り付けられると、ステップＳ３０２において、前述したように、オブジェクト属性抽出部１０２として光センサーにより反射光を検出することによってオブジェクト属性を抽出する。そして、ステップＳ３０３において、前述したように、オブジェクト位置検出部１０１としてタッチパネルにより圧力発生位置を検出することによってオブジェクト位置を検出する。なお、ステップＳ３０２及びＳ３０３は順序が逆であってもよい。
【００２１】
次に、ステップＳ３０４において、ステップＳ３０２で抽出したオブジェクト属性をオブジェクト属性解析部１０３により解析する。そして、ステップＳ３０５において、ステップＳ３０４で解析したオブジェクト属性に関連するデータをデータ検索部１０４によりデータ保持部１０５から検索する。
【００２２】
次に、ステップＳ３０６において、表示制御部１０６は、ステップＳ３０５で検索したデータをステップＳ３０３で検出したオブジェクト位置の近傍に移動した表示画像を生成する。そして、ステップＳ３０７において、表示部１０７の表示画面にステップＳ３０６で生成した表示画像を表示し、処理を終了する。
【００２３】
次に、図４及び図５を参照しながら、本実施形態における画像表示システムを用いた時の視覚的な効果の詳細について説明する。
【００２４】
図４は、図３のステップＳ３０１の処理が行われた状態の表示画面の一例を示す図であり、利用者の操作によりオブジェクトを表示部１０７に貼り付けた状態を示している。なお、ステップＳ３０１のデータの表示については、例えば、表示部１０７にメニュー画面を表示し、タッチパネル又は他の操作部の操作に応じてデータの表示を行う。
【００２５】
図４において、画面４００は、図２に示す表示装置の表示部１０７に表示される画面である。４０１はオブジェクト（付箋紙）であり、４０２〜４０８は表示部１０７に表示されているデータを示している。
【００２６】
付箋紙４０１には「自動車」という属性が手書きで記載されており、図４は、付箋紙４０１を検知する直前の状態を示している。４０２は自動車排出規制に関するデータであり、４０３は自動車衝突安全基準に関するデータである。４０４は事業所別売上に関するデータであり、４０５はバイク部品価格表に関するデータである。４０６は自動車新車情報に関するデータであり、４０７は社内コンプライアンス規約に関するデータである。そして、４０８は自動車販売数売上に関するデータである。
【００２７】
また、データ４０２〜４０８については、データ保持部１０５に保持されている。さらに、自動車排出規制に関するデータ４０２、自動車衝突安全基準に関するデータ４０３、自動車新車情報に関するデータ４０６、及び自動車販売数売上に関するデータ４０８については「自動車」属性が付与されているものとする。
【００２８】
ここで、付箋紙４０１が画面４００に貼り付けられると、図３のステップＳ３０２、Ｓ３０３の処理を行う。具体的には、オブジェクト属性抽出部１０２として光センサーが付箋紙４０１に反射した表示装置のバックライトを受信して属性を抽出する。さらに、オブジェクト位置検出部１０１としてタッチパネルが圧力を感知した接触位置を抽出する。
【００２９】
次に、ステップＳ３０４の処理により光センサーを用いて抽出した属性を、オブジェクト属性解析部１０３によりＯＣＲ技術を用いて属性解析を行い、「自動車」属性を検知する。次に、ステップＳ３０５の処理により前記検知された「自動車」属性を探索キーにしてデータ検索部１０４はデータ保持部１０５内から関連するデータを検索する。図４に示す例では、自動車排出規制に関するデータ４０２、自動車衝突安全基準に関するデータ４０３、自動車新車情報に関するデータ４０６、及び自動車販売数売上に関するデータ４０８を検索する。
【００３０】
次に、ステップＳ３０６の処理により表示制御部１０６はステップＳ３０５で検索されたデータを、ステップＳ３０３で検出された位置の近傍に移動した表示画面を生成する。そして、ステップＳ３０７の処理によりステップＳ３０６で生成された表示画面を表示部１０７に表示する。
【００３１】
図５は、図３のステップＳ３０７の処理により表示された画面の一例を示す図である。図５に示すように、付箋紙４０１の近傍には、「自動車」属性に関連する自動車排出規制に関するデータ４０２、自動車衝突安全基準に関するデータ４０３、自動車新車情報に関するデータ４０６、及び自動車販売数売上に関するデータ４０８が表示される。
【００３２】
なお、本実施形態において表示制御部１０６は、オブジェクトの近傍に、オブジェクトの属性と関連するデータが表示されるように制御する。しかしながら、ディスプレイの利用者にとって、ディスプレイに表示されているデータの中から所望のデータを効率良く確認できる形態であれば、オブジェクトの属性と関連するデータがオブジェクトの近傍に表示される制御に限られない。例えば、オブジェクトの属性と関連するデータが強調表示されるように制御してもよい。
【００３３】
以上のように本実施形態によれば、表示画面に貼り付けられたオブジェクトの位置及び属性を検出して、関連する属性のデータをオブジェクトの近傍に表示するようにした。これにより、ディスプレイに表示されているデータの中から利用者が所望のデータを効率良く確認することが可能となる。
【００３４】
なお、本実施形態では、図２に示すような表示装置を例にして説明したが、例えば、表示部１０７の代わりにスクリーン等を用いて、表示制御部１０６により画面を投射する場合にも適用できる。この場合、オブジェクト位置検出部１０１及びオブジェクト属性抽出部１０２にカメラ撮影する機能を備え、スクリーン等に投射された画面を撮影することによってオブジェクトの位置及び属性を検出してもよい。
【００３５】
（本発明に係る他の実施形態）
前述した本発明の実施形態における画像表示装置を構成する各手段、並びに画像表示方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００３６】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００３７】
なお、本発明は、前述した実施形態の機能を実現するソフトウェアのプログラム（実施形態では図３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００３８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００３９】
その場合、プログラムの機能を有していれば、オブジェクトコード、インタプリタにより実行されるプログラム、ＯＳに供給するスクリプトデータ等の形態であってもよい。
【００４０】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００４２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４３】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４５】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４６】
【図１】本発明の実施形態に係る画像表示装置の概略構成例を示すブロック図である。
【図２】図１におけるオブジェクト位置検出部、オブジェクト属性抽出部及び表示部から構成される表示装置の外観構成例を示す図である。
【図３】本発明の実施形態における画像表示装置による処理手順の一例を示すフローチャートである。
【図４】図３のステップＳ３０１の処理が行われた状態の表示画面の一例を示す図である。
【図５】図３のステップＳ３０７の処理により表示された画面の一例を示す図である。
【符号の説明】
【００４７】
１００  画像表示装置
１０１  オブジェクト位置検出部
１０２  オブジェクト属性抽出部
１０３  オブジェクト属性解析部
１０４  データ検索部
１０５  データ保持部
１０６  表示制御部
１０７  表示部
【図１】
2010170474.tif 000003
【図２】
2010170474.tif 000004
【図３】
2010170474.tif 000005
【図４】
2010170474.tif 000006
【図５】
2010170474.tif 000007